(57)【特許請求の範囲】
【請求項１】
所定長さの矯正具本体の両端部に所定大きさの一対の箸棒挿通口がそれぞれ形成され、
これら一対の箸棒挿通口に、一対の箸棒がそれぞれ挿通された状態で使用されるとき、これらの箸棒はこの矯正具本体によって常時一定の間隔を有し、これらの箸棒は、その動きの自由度が大きくなるように、これらの箸棒挿通口より小さい断面積の一対の箸棒でそれぞれゆとりをもって前記一対の箸棒挿通口に挿通された箸持ち方矯正具であって、
前記矯正具本体が湾曲自在な帯部材からなり、
前記両箸棒挿通口はこの矯正具本体の長さ方向の両端部をそれぞれ折り返して形成され、
この矯正具本体の長さ方向の中間部に、親指の第１関節が当接される第１関節当接部が設けられ、
この第１関節当接部は、
前記矯正具本体の両端部に配設された一対の第１の掛止部材と、
前記矯正具本体の長さ方向の中間部の表側と裏側とに配設され、対応する第１の掛止部材に掛止される一対の第２の掛止部材とを有している箸持ち方矯正具。
【請求項２】
前記一対の箸棒挿通口の箸先側の開口部の口径がその箸元側の開口部の口径より小さい請求項１に記載の箸持ち方矯正具。
【発明の詳細な説明】
【技術分野】
【０００１】
この発明は箸持ち方矯正具、詳しくは正しい箸の持ち方を習得するために用いられる箸持ち方矯正具に関する。
【背景技術】
【０００２】
従来、正しい箸の持ち方を習得する箸持ち方矯正具として、例えば特許文献１が知られている。
特許文献１の矯正具は、弾性材料からなる小円環を２つ並列配置した形状を有し、一対の箸棒のうちの一方の箸棒（下側箸棒）を各小円環に挿入することで、一方の箸棒の側方から突出する親指装着部を形成するようにしたものである。
【０００３】
使用時には、一方の箸棒を各小円環に挿入し、親指装着部に親指を装着する。これにより、一方の箸棒が親指挿着部によって親指の付け根付近に当接してほとんど固定状態となる。それに対して、他方の箸棒（上側箸棒）は、親指、人差し指および中指の各先端で支持され、この状態のまま、人差し指および中指を動かすことで、他方の箸棒を自由に動かすことができる。その結果、一方の箸棒の位置を定めるだけで、正しい箸の持ち方を容易に習得することができる。しかも、構造が簡易で安価であり、児童から大人まで使用可能な汎用性を有している。
【特許文献１】特開２００２−３４１７４７号公報
【発明の開示】
【発明が解決しようとする課題】
【０００４】
しかしながら、特許文献１の箸持ち方矯正具においては、以下の問題点があった。
(1) 特許文献１の矯正具は、２つの小円環と親指挿着部とを利用し、親指を一方の箸棒に固定する構造としていた。そのため、箸の持ち方を矯正する道具というより、食事中、一方の箸棒を親指から落とさない箸ホルダとしての役割の方が大きかった。
(2) 箸の正しい持ち方によれば、両方の箸棒の間への親指の架け渡し方が、中指と人差し指とによる他方の箸棒の回動操作と同様に習得が難しく、重要なポイントとなる。この親指の正しい架け渡し方を会得できなければ、他方の箸棒を自在に回動させることができない。引いては、両方の箸棒を自在に動かすことができない。すなわち、親指と人指し指との各付け根の間で一方の箸棒を挟み、親指の先端の腹側を、人差し指および中指の先端とともに、他方の箸棒に押し当てる。しかしながら、特許文献１の矯正具には、このような親指の架け渡し方を矯正する構成は存在しなかった。
【０００５】
そこで、この発明は、構造が簡単かつ低コストで、しかも矯正中における両箸棒の自由度が大きく、箸の使用に支障を来さない箸持ち方矯正具および持ち方矯正箸を提供することを目的としている。
この発明は、正しい箸の持ち方の習得、特に難しい親指の両箸棒への架け渡し方を習得することができる箸持ち方矯正具を提供することを目的としている。
この発明は、箸持ち方矯正具をより簡単かつ低コストで製造することができ、しかも両箸棒への装着時、箸持ち方矯正具の表裏面の向きを考慮せず、装着することができる箸持ち方矯正具を提供することを目的としている。
【０００６】
この発明は、矯正時の両箸棒の位置が安定性し、矯正効果を高めることができる箸持ち方矯正具を提供することを目的としている。
この発明は、洗浄時、両箸棒と矯正具本体とを個別に洗浄し、洗浄効果を高めることができる持ち方矯正箸を提供することを目的としている。
【課題を解決するための手段】
【０００７】
請求項１に記載の発明は、所定長さの矯正具本体の両端部に所定大きさの一対の箸棒挿通口がそれぞれ形成され、これら一対の箸棒挿通口に、一対の箸棒がそれぞれ挿通された状態で使用されるとき、これらの箸棒はこの矯正具本体によって常時一定の間隔を有し、これらの箸棒は、その動きの自由度が大きくなるように、これらの箸棒挿通口より小さい断面積の一対の箸棒でそれぞれゆとりをもって前記一対の箸棒挿通口に挿通された箸持ち方矯正具であって、前記矯正具本体が湾曲自在な帯部材からなり、前記両箸棒挿通口はこの矯正具本体の長さ方向の両端部をそれぞれ折り返して形成され、この矯正具本体の長さ方向の中間部に、親指の第１関節が当接される第１関節当接部が設けられ、この第１関節当接部は、前記矯正具本体の両端部に配設された一対の第１の掛止部材と、前記矯正具本体の長さ方向の中間部の表側と裏側とに配設され、対応する第１の掛止部材に掛止される一対の第２の掛止部材とを有している箸持ち方矯正具である。
【０００８】
請求項１に記載の発明によれば、使用に際して、一対の箸棒を矯正具本体の対応する箸棒挿通口にゆとりをもって挿通し、矯正具本体を、箸棒の元側の端を基準として例えば箸棒の全長の３分の１程度の位置に配置する。両箸棒は、食事中、矯正具本体により常時一定の間隔で保持される。しかも、両箸棒が、対応する箸棒挿通口において、ゆとりをもって挿通されているので、両箸棒は動きの自由度がそれぞれ大きい。これにより、矯正中、米粒のような小さい食べ物から、輪切りにされた人参や大根といった大きな食べ物を食べるときまで、箸の使用に支障を来さない。しかも、構造が簡単かつ低コストである。
また、この発明によれば、矯正時、親指の第１関節の腹側を第１関節当接部に当接した状態で、親指を両箸棒の間に架け渡す。具体的には、一方の箸棒が親指の付け根と人差し指の付け根との間で挟持され、他方の箸棒は、親指、人差し指および中指の各先端で支持される。
このように、親指を両箸棒間に架け渡すとき、第１関節当接部に親指の第１関節の腹側を当接することで、正しい箸の持ち方、とりわけ難しい親指の両箸棒への架け渡し方を簡単に習得することができる。
【０００９】
箸棒の素材は限定されない。例えばプラスチック、木、金属、セラミックスなどを採用することができる。
箸棒の断面形状は限定されない。例えば円形、楕円形、三角形以上の多角形などを採用することができる。
箸棒の長さは限定されない。大人用（例えば２２．５ｃｍ）でもよいし、子供用（例えば１６．５ｃｍ）でもよい。
【００１０】
矯正具本体の素材は限定されない。例えばビニールを含む軟質プラスチック、皮革（合成皮革、人工皮革を含む）、布帛（織布、不織布、編布）、紙などの湾曲自在な素材を採用することができる。その他、硬質プラスチック、金属、セラミックス、木などの剛体となる素材ででもよい。
矯正具本体の形状、大きさは限定されない。例えば、直方体のゴム部材を矯正具本体とし、この矯正具本体の長さ方向の両端部に、矯正具本体の長さ方向に長い矩形状の箸棒挿通口をそれぞれ形成し、両箸棒挿通口に一対の箸棒をそれぞれ挿通させたものでもよい。
箸棒挿通口の大きさ（直径）は、使用される箸棒の太さにより変更される。要は、箸棒をゆとりをもって挿通可能な大きさであればよい。
箸の持ち方の矯正が終了した後は、箸持ち方矯正具をアクセサリーやコードなどの結び紐として再利用することができる。
【００１１】
請求項２に記載の発明は、前記一対の箸棒挿通口の箸先側の開口部の口径がその箸元側の開口部の口径より小さい請求項１に記載の箸持ち方矯正具である。
【００１２】
第１関節当接部は、使用者の触感または視覚的に、矯正具本体の他の部分との識別ができればよい。例えば突起でもよいし、凹みでもよい。また、塗料による色分け、模様分けなどでもよい。
【００１３】
請求項１に記載の発明によれば、矯正具本体は両側部をそれぞれ折り返し、矯正具本体の長さ方向の中間部の表裏面において、対応するもの同士、第１の係止部材と各第２の係止部材とを係止する。これにより、矯正具本体の両端部に箸棒挿通口がそれぞれ形成されると同時に、第１関節当接部が形成される。その結果、箸持ち方矯正具をより簡単かつ低コストで製造することができる。しかも、矯正具本体の表裏面に突起形状を有した第１関節当接部が形成される。そのため、箸持ち方矯正具は、両箸棒に装着する際、その表裏面の向きを考慮せずに装着することができる。
【００１４】
矯正具本体の素材としては、例えば布帛（織布、不織布、編布）、軟質合成樹脂シート、皮革（合成皮革、人工皮革を含む）、紙（合成樹脂膜との積層体を含む）などを採用することができる。
矯正具本体の大きさは限定されない。例えば、長さは１０ｃｍ程度、厚さは１ｍｍ程度、幅は１ｃｍ程度である。
第１の係止部材と第２の係止部材との種類は限定されない。例えば、ホック、面状ファスナ、磁石、クリップなどを採用することができる。矯正具本体と両係止部材とをバラ売りし易いように、矯正具本体における両係止部材の取り付け位置を任意としてもよい。また、矯正具本体の内側に折り返された両側部は、鳩目、ステープルなどにより連結してもよい。さらには、接着剤による接着により連結してもよい。
【発明の効果】
【００１５】
請求項１〜２に記載の発明によれば、矯正具本体の両端部に、一対の箸棒をゆとりをもって挿通する一対の箸棒挿通口を配設したので、矯正中、両箸棒の自由度が大きく、箸の使用に支障を来さない。しかも、その箸持ち方矯正具は、構造が簡単かつ低コストである。
【００１６】
特に、請求項１に記載の発明によれば、矯正具本体の長さ方向の中間部に、親指の第１関節が当接される第１関節当接部が設けたので、正しい箸の持ち方の習得、特に難しい親指の両箸棒への架け渡し方を習得することができる。
【００１７】
請求項１に記載の発明によれば、矯正具本体が湾曲自在な帯部材からなり、両箸棒挿通口はこの矯正具本体の両側部をそれぞれ折り返して形成され、しかも第１関節当接部が互いに一対の第１の係止部材と第２の係止部材とを有しているので、箸持ち方矯正具をより簡単かつ低コストで製造することができる。しかも、箸持ち方矯正具の両箸棒への装着時、箸持ち方矯正具の表裏面の向きを考慮せずに装着することができる。
【００１８】
矯正具本体の各箸棒挿通口の内周壁に滑り止め部材をそれぞれ設けた場合、矯正時、両箸棒が箸棒の長さ方向に移動し難い。これにより、矯正時の両箸棒の位置が安定性し、矯正効果が高まる。
【発明を実施するための最良の形態】
【００１９】
以下、この発明の実施例を図面を参照して説明する。
【実施例１】
【００２０】
まず、図１〜図９を参照して実施例１を説明する。
図１および図２において、１０はこの発明の実施例１に係る箸持ち方矯正具で、この箸持ち方矯正具１０は矯正具本体１１を有している。矯正具本体１１は、湾曲自在なビニールシートを短冊形状（長さ１０ｃｍ、厚さ１ｍｍ、幅１ｃｍ）にカットした帯部材である。矯正具本体１１の一端部の表面と、矯正具本体１１の他端部の裏面とには、雌側ホック（第１の係止部材）１２が配設されている。また、矯正具本体１１の長さ方向の中間部の表裏面には、一対の雄側ホック（第２の係止部材）１３が配設されている。箸持ち方矯正具１０は指が直接触れるので、矯正具本体１１および両ホック１２，１３はバリがないものを採用する。また、矯正具本体１１はアレルギーの発生が少ない素材を採用する。
【００２１】
矯正具本体１１の一端部は、矯正具本体１１の表方向から内側（長さ方向の中間部側）に折り返され、対応する雄側ホック１３と雌側ホック１２とを係止することで、矯正具本体１１の一端部に、一方の箸棒１４がゆとりをもって挿通される一方の箸棒挿通口１７が形成される。
また、矯正具本体１１の他端部は、矯正具本体１１の裏方向から内側に折り返され、対応する雄側ホック１３と雌側ホック１２とを係止することで、他方の箸棒１５がゆとりをもって挿通される他方の箸棒挿通口１８が形成される。両箸棒１４，１５により箸１６が構成される。このように、２対の雄側ホック１３と雌側ホック１２とが互いに係止されることで、矯正具本体１１の長さ方向の中間部に、矯正時に親指の第１関節が当接される第１関節当接部１９が現出される。
【００２２】
矯正具本体１１の各箸棒挿通口１７，１８の内周壁には、各箸棒１４，１５の滑り止め部材２０を固着してもよい（図３，図４）。滑り止め部材２０としては、短冊形状にカットされたスポンジ材またはゴム材を採用することができる。滑り止め部材２０の具体的な固着位置としては、例えば各箸棒挿通口１７，１８の外端部にそれぞれ１つずつ設けてもよい（図３）。その他、滑り止め部材２０として、正方形にカットされたスポンジ材またはゴム材を採用し、各箸棒挿通口１７，１８の両側部にそれぞれ１つずつ設けてもよい（図４）。滑り止め部材２０には、滑り止め効果を高めるために、表層を波形カットした波形滑り止め部材２０Ａを採用してもよい。また、滑り止め部材２０を配設せず、滑り止め部材２０の固着位置に図示しない切欠部をそれぞれ形成してもよい。すなわち、切欠部を介して、使用者の指が箸棒１４，１５に接触し、同様の滑り止め効果が得られる。
【００２３】
また、矯正具本体１１の一端部の裏面に雌側ホック１２を固着し、矯正具本体１１の他端部の表面に別の雌側ホック１２を固着した箸持ち方矯正具１０Ｃとしてもよい（図５）。この場合、各箸棒挿通口１７，１８は正面視して円形に近い挿通口となり、両箸棒挿通口１７，１８は対応する箸棒１４，１５がより以上にゆとりをもって挿通可能となる。
さらに、環状になるように両端部が連結された短尺な２本の矯正具本体１１同士を、雄側ホック１３および雌側ホック１２により掛合自在な構造とした箸持ち方矯正具１０Ｄを採用してもよい（図６）。
その他、両箸棒挿通口１７，１８の箸先側の開口部の口径が、矯正具本体１１の箸元側の開口部の口径より小さい箸持ち方矯正具１０Ｅを採用してもよい（図７）。これにより、各箸棒１４，１５の近接離間方向の回動操作が容易になる。しかも、箸持ち方矯正具１０Ｅの箸先側が細くなるので、矯正時に箸持ち方矯正具１０を持ち易い。
箸持ち方矯正具１０Ｅ用の矯正具本体１１としては、正面視して波形状の矯正具本体１１（図８）、または、正面視して円弧形状の矯正具本体１１（図９）を採用することができる。
【００２４】
次に、実施例１の箸持ち方矯正具１０の使用方法を説明する。
図１に示すように、箸持ち方矯正具１０の使用時（矯正時）には、まず一対の箸棒を矯正具本体１１の両箸棒挿通口１７，１８に１本ずつゆとりをもって挿通する。各箸棒１４，１５は角棒形状を有し、それぞれの長さは２２．５ｃｍ（大人用）である。また、１６．５ｃｍの子供用を採用してもよい。次に、箸持ち方矯正具１０を各箸棒１４，１５に装着する。具体的には、箸棒１４，１５の元側の端を基準として両箸棒１４，１５の全長の４分の１〜３分の１の部分に矯正具本体１１を装着する。そのため、両箸棒１４，１５は、食事中、矯正具本体１１により常時一定の間隔で保持される。
【００２５】
その後、一方の箸棒１４が親指の付け根と人差し指の付け根との間で挟持し、他方の箸棒１５を親指、人差し指および中指の各先端で支持する。このとき、親指の第１関節の腹側を第１関節当接部１９に当接させた状態で、親指が両箸棒１４，１５の間に架け渡される。
このように、親指を両箸棒１４，１５間に架け渡すとき、第１関節当接部１９に親指の第１関節の腹側を当接することで、正しい箸の持ち方、とりわけ難しい親指の両箸棒１４，１５への架け渡し方を簡単に習得することができる。これにより、例えば一ヵ月適度で箸を正しく使用することができるようになる。そのため、食事中のコンプレックスが解消され、食事に対して精神的にゆとりが持てる。
しかも、このように両箸棒１４，１５が対応する箸棒挿通口１７，１８にゆとりをもって挿通されるように構成したので、両箸棒１４，１５の動きの自由度がそれぞれ大きくなる。これにより、食事中における箸１６の使用に支障を来さない。しかも、箸持ち方矯正具１０が、矯正具本体１１と両ホック１２，１３という少ない部品から構成されるので、構造が簡単でかつ低コストとなる。
【００２６】
さらに、帯形状の矯正具本体１１は両側部をそれぞれ折り返し、矯正具本体１１の長さ方向の中間部の表裏面において、対応するもの同士、雌側ホック１２と雄側ホック１３とを係止している。これにより、矯正具本体１１の両端部に箸棒挿通口１７，１８がそれぞれ形成されると同時に、第１関節当接部１９が形成される。その結果、箸持ち方矯正具１０をより簡単かつ低コストで製造することができる。しかも、矯正具本体１１の表裏面に突起形状を有した第１関節当接部１９が形成される。これにより、箸持ち方矯正具１０は、箸棒への装着時、その表裏面の向きを考慮せずに装着することができる。
さらにまた、各箸棒挿通口１７，１８の内周壁に滑り止め部材２０を配設した場合には、矯正時、両箸棒１４，１５が箸棒１４，１５の長さ方向に移動し難い。
そして、洗浄時には、両ホック１２，１３を外して矯正具本体１１を伸ばすことで洗浄し易くなる。
【００２７】
次に、図１０〜図１６を参照して、参考例の持ち方矯正箸を説明する。
図１０および図１１において、３０は持ち方矯正箸で、この持ち方矯正箸３０は、一対の箸棒１４，１５と、両端部に各箸棒１４，１５がゆとりをもって挿通される箸棒挿通口１７，１８がそれぞれ形成された矯正具本体１１を有した箸持ち方矯正具１０Ｆとを備え、各箸棒１４，１５と矯正具本体１１の両端部とが、箸１６の開閉方向に回動自在に連結された構成を有している。
【００２８】
各箸棒１４，１５には、箸棒１４，１５の元側の端を基準として両箸棒１４，１５の全長の４分の１〜３分の１の部分に、一対の反対側の側面同士を貫通してピン孔３１がそれぞれ形成されている。
また、矯正具本体１１は硬質プラスチック製の枠体で、箸棒挿通口１７，１８の開口部との正対方向から見て、眼鏡形状を有している。矯正具本体１１の両端部には、矯正具本体１１の幅方向に長さ方向を向けた回動ピン３２が、各箸棒挿通口１７，１８の中心部と各箸棒１４，１５のピン孔３１を通過してそれぞれ横架されている。
このように、予め箸持ち方矯正具１０が両箸棒１４，１５にピン連結されているので、小さな箸持ち方矯正具１０を紛失するおそれがない。
【００２９】
矯正具本体１１は、環状を有する両端部の外側部分をそれぞれ切欠し、各箸棒１４，１５がゆとりをもって装着される箸棒装着凹部３３をそれぞれ形成してもよい（図１２，図１３）。これにより、洗浄時において、矯正具本体１１と各箸棒１４，１５との連結部分を洗浄し易くなる。
また、別の構造を有した持ち方矯正箸３０Ａとしてもよい（図１４，図１５）。すなわち、各箸棒１４，１５の４つの側面に、箸棒１４，１５の長さ方向に長い回動掛止溝（回動掛止凹部）３４をそれぞれ形成する。これらの回動掛止溝３４に代えて、各箸棒１４，１５の４つの側面に、箸棒の長さ方向に一定ピッチで３つの回動掛止凹部３５をそれぞれ形成してもよい。
矯正具本体１１は、その両端部に箸棒装着凹部３３が配設されている。各箸棒装着凹部３３のうち、互いに平行な両側枠３５の内側には、一対の掛止回動ピン３６がそれぞれ突設されている。両掛止回動ピン３６は、互いの反対側の面に配置される一対の回動掛止溝３４にそれぞれ回動自在に掛止される。
【００３０】
これにより、別の箸棒（例えば大人用から子供用、異なる意匠の箸棒）に、簡単に変更することができる。洗浄時には、回動掛止溝３４と掛止回動ピン３６との掛止状態を解除し、両箸棒１４，１５と矯正具本体１１とを分解して洗浄することができる。両箸棒１４，１５の長さ方向における箸持ち方矯正具１０の位置を任意に変更することができる。
その他の構成、作用、効果は、実施例１より推測可能な範囲であるので、説明を省略する。
【図面の簡単な説明】
【００３１】
【図１】この発明の実施例１に係る箸持ち方矯正具の使用状態の斜視図である。
【図２】（ａ）この発明の実施例１に係る箸持ち方矯正具の展開図である。（ｂ）この発明の実施例１に係る箸持ち方矯正具の組み立て状態を示す正面図である。（ｃ）この発明の実施例１に係る箸持ち方矯正具の組み立て状態を示す平面図である。
【図３】（ａ）この発明の実施例１に係る他の箸持ち方矯正具の展開図である。（ｂ）この発明の実施例１に係る他の箸持ち方矯正具の組み立て状態を示す正面図である。（ｃ）この発明の実施例１に係る他の箸持ち方矯正具の組み立て状態を示す平面図である。
【図４】（ａ）この発明の実施例１に係る別の箸持ち方矯正具の展開図である。（ｂ）この発明の実施例１に係る別の箸持ち方矯正具の組み立て状態を示す正面図である。（ｃ）この発明の実施例１に係る別の箸持ち方矯正具の組み立て状態を示す平面図である。
【図５】この発明の実施例１に係るまた別の箸持ち方矯正具の概略平面図である。
【図６】この発明の実施例１に係るさらに別の箸持ち方矯正具の概略平面図である。
【図７】この発明の実施例１に係る異なる箸持ち方矯正具の使用状態の縦断面図である。
【図８】この発明の実施例１に係る異なる箸持ち方矯正具の展開図である。
【図９】この発明の実施例１に係るまた異なる箸持ち方矯正具の展開図である。
【図１０】この発明の参考例に係る持ち方矯正箸の使用状態の正面図である。
【図１１】この発明の参考例に係る持ち方矯正箸の使用状態の縦断面図である。
【図１２】この発明の参考例に係る他の持ち方矯正箸の使用状態の正面図である。
【図１３】この発明の参考例に係る他の持ち方矯正箸の使用状態の縦断面図である。
【図１４】（ａ）この発明の参考例に係る持ち方矯正箸に用いられる箸棒の正面図である。（ｂ）この発明の参考例に係る持ち方矯正箸に用いられる箸棒の拡大断面図である。
【図１５】この発明の参考例に係る持ち方矯正箸に用いられる矯正具本体の正面図である。
【図１６】この発明の参考例に係る他の持ち方矯正箸に用いられる箸棒の正面図である。
【符号の説明】
【００３２】
１０，１０Ａ〜１０Ｆ  箸持ち方矯正具
１１矯正具本体、
１４，１５  箸棒、
１７，１８  箸棒挿通口、
１９  第１関節当接部、
１２  雌側ホック（第１の係止部材）、
１３  雄側ホック（第２の係止部材）、
３３  箸棒装着凹部、
３０，３０Ａ  持ち方矯正箸、
３４  回動係止溝（回動掛止凹部）、
３６  掛止回動ピン。
【図１】
0003743760.tif 000002
【図２】
0003743760.tif 000003
【図３】
0003743760.tif 000004
【図４】
0003743760.tif 000005
【図５】
0003743760.tif 000006
【図６】
0003743760.tif 000007
【図７】
0003743760.tif 000008
【図８】
0003743760.tif 000009
【図９】
0003743760.tif 000010
【図１０】
0003743760.tif 000011
【図１１】
0003743760.tif 000012
【図１２】
0003743760.tif 000013
【図１３】
0003743760.tif 000014
【図１４】
0003743760.tif 000015
【図１５】
0003743760.tif 000016
【図１６】
0003743760.tif 000017